(57)【要約】埋め込み可能な医療用デバイスの遠距離場送信機からの無線周波数帯域幅が、データ速度、出力レベル、送信機供給電圧またはそれらの組合せを制御することによって調節される。調節は、感知された温度、導線の欠如または存在を基にして、または波形整形を用いて行われる。表面音波（ＳＡＷ）共振器ベースの送信機は、温度を制御された動作環境で安定した帯域幅を呈する。人間の体温の範囲の外側の温度に対しては、ＳＡＷベースの送信機の出力が、減少された帯域幅を提供するように調節される。
2005535391.tif 000002
【特許請求の範囲】
【請求項１】
感知された温度を基にして出力信号を供給するように構成された埋め込み可能な温度センサと、
前記センサと結合され、前記出力信号を基にして制御信号を発生させるように構成された埋め込み可能な比較器と、
前記埋め込み可能な比較器と結合され、前記制御信号を基にして送信帯域幅を変調させるように構成された埋め込み可能な無線送信機と
を備えるシステム。
【請求項２】
前記無線送信機が、２つ以上の出力レベルで送信するように構成されている請求項１に記載のシステム。
【請求項３】
前記無線送信機が、２つ以上のデータ速度で送信するように構成されている請求項１に記載のシステム。
【請求項４】
前記埋め込み可能な無線送信機が、前記制御信号を基にして無効化されるように構成されている請求項１に記載のシステム。
【請求項５】
埋め込み可能な医療用デバイスと結合された、２つ以上の選択可能な送信周波数スペクトルと周波数スペクトル選択手段とを有する遠距離場送信機と、
温度を基にした出力信号を有する温度センサと、
前記周波数スペクトル選択手段と結合され、かつ前記出力信号と結合され、前記出力信号を基にして、前記２つ以上の選択可能な送信周波数スペクトルの１つの送信周波数スペクトルを選択するように構成されているコントローラと
を備える装置。
【請求項６】
前記埋め込み可能な医療用デバイスと結合された遠隔測定回路をさらに備える請求項５に記載の装置。
【請求項７】
前記コントローラが、電圧レベルを調節するように構成されている請求項５に記載の装置。
【請求項８】
前記コントローラが、電流レベルを調節するように構成されている請求項５に記載の装置。
【請求項９】
前記コントローラが、送信データ速度を調節するように構成されている請求項５に記載の装置。
【請求項１０】
前記コントローラが、送信出力レベルを調節するように構成されている請求項５に記載の装置。
【請求項１１】
前記コントローラが、遠距離場送信機を選択的に有効化するように構成されている請求項５に記載の装置。
【請求項１２】
前記コントローラが、遠距離場送信機に選択的に付勢するように構成されている請求項５に記載の装置。
【請求項１３】
検知出力を有する導線検知回路と、
２つ以上の動作モードを有する埋め込み可能な送信機と、
前記埋め込み可能な送信機と結合され、前記検知出力を基にしてモード選択信号を供給するように構成されたモード選択回路と
を備える装置。
【請求項１４】
前記埋め込み可能な送信機が、導線が検知された場合第１の帯域幅を有する信号を送信するように構成され、導線が検知されない場合第２の帯域幅を有する信号を送信するように構成されており、前記第１の帯域幅が前記第２の帯域幅よりも大きい請求項１３に記載の装置。
【請求項１５】
前記埋め込み可能な送信機が、第１のデータ速度に対応する第１のモードと、第２のデータ速度に対応する第２のモードとを有する請求項１３に記載の装置。
【請求項１６】
前記埋め込み可能な送信機が、第１の出力レベルに対応する第１のモードと、第２の出力レベルに対応する第２のモードとを有する請求項１３に記載の装置。
【請求項１７】
前記埋め込み可能な送信機が、有効化に対応する第１のモードと、無効化に対応する第２のモードとを有する請求項１３に記載の装置。
【請求項１８】
埋め込み可能な治療回路と、
前記治療回路と結合された、信号出力を有するプロセッサと、
前記信号出力と結合されたフィルタ入力を有し、フィルタ出力を有するフィルタと、
前記フィルタ出力と結合された変調入力を有し、前記無線送信機の出力が、前記変調入力の関数として変調される埋め込み可能な無線送信機を備えるシステム。
【請求項１９】
前記フィルタ出力が波形信号を供給する請求項１８に記載のシステム。
【請求項２０】
信号出力と結合されたＤＡＣ入力と、フィルタ入力と結合されたＤＡＣ出力とを有するデジタル・アナログ変換器（ＤＡＣ）をさらに備える請求項１８に記載のシステム。
【請求項２１】
前記埋め込み可能な無線送信機が、振幅シフトキー（ＡＳＫ）変調を提供するように構成されている請求項１８に記載のシステム。
【請求項２２】
埋め込み可能な治療回路と、
前記治療回路と結合された、信号出力を有するプロセッサと、
信号出力と結合されたデジタル入力、およびアナログ出力を有するデジタル・アナログ変換器と、
前記アナログ出力と結合された変調入力を有し、前記無線送信機の出力が前記変調入力の関数として変調される埋め込み可能な無線送信機と
を備えるシステム。
【請求項２３】
前記アナログ出力が波形状信号を供給する請求項２２に記載のシステム。
【請求項２４】
前記波形状信号が、ヘイバーサイン波を近似している請求項２３に記載のシステム。
【発明の詳細な説明】
【関連出願】
【０００１】
（関連出願の相互参照）
本出願は、米国特許法第１１９条（ｅ）の下で、２００２年８月８日に提出された米国特許仮出願第６０／４０１，９６６号に対する優先権を請求する２００２年１０月１１日に提出された米国特許出願整理番号第１０／２６９，９０５号の利益を請求する。
【技術分野】
【０００２】
本発明は一般に、埋め込み可能な医療用デバイスのための遠隔測定法に関し、詳細には、遠距離場送信機を使用する遠隔測定法に関するが、それに限定されない。
【背景技術】
【０００３】
無線周波数（ＲＦ）干渉は、所望の信号の受信を混乱させることがある。干渉の影響を低減させるために、多くの政府団体が、所定のレベルを超える出力を有するＲＦ送信機の送信帯域幅を制限する基準や規則を制定している。たとえば、合衆国では、長距離の無線周波数送信が、連邦通信委員会（ＦＣＣ）によって規制され、ヨーロッパでは、ヨーロッパ電気通信規格研究所（ＥＴＳＩ）が、個々の国で考慮し実施するための基準を提案している。
【０００４】
一般に、埋め込み可能な医療用デバイスの遠隔測定システムは、近距離場誘導コイルを備える。通常、近距離場遠隔測定システムは、遠距離場ＲＦ干渉を発生させず、したがって、基準や規則に準拠して動作することができる。他方、近距離場遠隔測定システムは、埋め込まれたデバイスと外部プログラマの間の長距離の通信ができない。
【発明の開示】
【発明が解決しようとする課題】
【０００５】
ＲＦ相互干渉を制限する基準や規則に適合する、埋め込み可能な医療用デバイスとともに使用するのに適した長距離にわたる遠隔測定システムが必要である。
【課題を解決するための手段】
【０００６】
埋め込み可能な医療用デバイスの遠距離場送信機からの無線周波数送信が感知された温度を基にして調節される。規制要件に従うように、送信機周波数スペクトルの保護帯域が確立される。保護帯域の帯域幅は温度を基にして調整される。たとえば、体内に埋め込まれると、デバイスがさらされる温度範囲は狭い、したがって、保護帯域を狭くすることができ、このため、より大きな帯域幅がデータ送信のために利用可能になる。
【０００７】
埋め込まれた医療用デバイス内の無線周波数送信機の動作を温度センサが制御する。送信される周波数スペクトルによって測定されるような送信機の作用が規制要件に適合するように調整される。一実施態様では、送信機の出力レベルが所定の温度に対して減少させられる。一実施態様では、送信データ速度が所定の温度に対して減少させらる。一実施態様では、送信機への供給電圧が所定の温度に対して無効にされる。送信機は、感知された温度または、導線の存在または欠如に基づいて、選択された２つ以上のモードのうちの１つで動作するように構成されている。
【０００８】
また、送信が行われる温度範囲を限定することによって、送信機への供給電圧を減少させることができる。送信機への供給電圧を減少させることは、たとえば、バッテリ寿命を延長させることになる。
【０００９】
温度の測定と記憶が、参照によって本明細書に組み込まれる、Ｒｏｎ  Ａ．Ｂａｌｃｚｅｗｓｋｉらの「ＩＭＰＬＡＮＴＡＢＬＥ  ＭＥＤＩＣＡＬ  ＤＥＶＩＣＥ  ＷＩＴＨ  ＴＥＭＰＥＲＡＴＵＲＥ  ＭＥＡＳＵＲＩＮＧ  ＡＮＤ  ＳＴＯＲＩＮＧ  ＣＡＰＡＢＩＬＩＴＹ」という題の２００１年３月３日に提出された、同一出願人による米国特許出願整理番号第０９／８２３，２６０号で開示されている。
【００１０】
一実施態様では、所定の振幅を超える変調積(modulation product)に対する選択された帯域幅内でのスペクトル効率を改善するために、波形形成が使用される。プログラミング可能なデジタル・アナログ変換器（ＤＡＣ）が埋め込まれた送信機の変調入力を行う。
【００１１】
この概要は、本システムの実施態様のいくつかを簡単に概観することが意図されており、排他的または網羅的ではないものとする。また、本発明の範囲は、添付の特許請求の範囲およびそれらの均等物によって定義されるものである。
【発明を実施するための最良の形態】
【００１２】
図中では、類似の符号は、いくつかの図面を通してほぼ類似の構成要素を示している。異なる添え字を有する類似の符号は、ほぼ類似の構成要素の異なる例を表している。
【００１３】
以下の詳細な説明では、本明細書の一部を形成し、本発明が実施される特定の実施形態を一例として示す添付の図面を参照する。これらの実施形態は、当業者が本発明を実施できるように十分詳細に示されている。各実施形態は組み合わせられてもよく、または他の実施形態が使用されてもよく、構造的、論理的、電気的な変更が、本発明の精神と範囲を逸脱することなく行われてもよいことを理解されたい。したがって、以下の詳細な説明は、添付の特許請求の範囲とその均等物によって定義される。図中で、類似の符号は、いくつかの図面を通してほぼ類似の構成要素を示している。異なる添え字を有する類似の符号は、ほぼ類似の構成要素の異なる例を表している。
【００１４】
図１に示すように、埋め込まれた医療用デバイス１００は、単一のライン１１０を介して、マイクロ・コントローラ、すなわちプロセッサ１３０Ａと結合された温度センサ１０５を備える。プロセッサ１３０Ａは、治療インターフェース・バス１２０を介して治療回路１１５とさらに結合され、さらに近距離場トランシーバ１５５や遠距離場トランシーバ１６０とも結合されている。図中では、遠距離場遠隔測定トランシーバ１６０は、送信出力制御１５０によって決定されるような出力レベルで送信するように構成された送信機を備える。近距離場遠隔測定と遠距離場遠隔測定は、参照によって本明細書に組み込まれる、Ｊｅｆｆｒｅｙ  Ａ．Ｖｏｎ  Ａｒｘらの「ＡＮ  ＩＭＰＬＡＮＴＡＢＬＥ  ＭＥＤＩＣＡＬ  ＤＥＶＩＣＥ  ＷＩＴＨ  ＴＷＯ  ＯＲ  ＭＯＲＥ  ＴＥＬＥＭＥＴＲＹ  ＳＹＳＴＥＭＳ」という題の２００１年１２月１９日に提出された、同一出願人による米国特許出願整理番号第１０／０２５，１８３号に記載されている。
【００１５】
温度センサ１０５は、ある実施形態では、アナログ出力信号を供給し、他の実施形態では、デジタル出力信号を供給する。たとえば、温度センサ１０５は、電流源、サーミスタまたは熱電対によって駆動される測温抵抗デバイス（ＲＴＤ）を備えてもよい。別の例としては、温度センサ１０５は、その作用が温度とともに変動するトランジスタまたは半導体デバイスを備える。
【００１６】
一実施形態では、温度センサ１０５は、絶対温度に比例する電流ＩPTATを供給する回路またはデバイスを備える。通常、ＩPTATは、バンドギャップ基準電圧とともに基準電圧を発生させるために使用される。また、ＩPTATは、デバイスの温度を測定する簡便な方法も提供する。一実施形態では、ＩPTATは、可変周波数振動子を供給するために使用される。振動子は、電流に比例する、すなわち温度に比例する周波数を有するクロック信号を発生させる。
【００１７】
温度センサ１０５は、たとえば血管内導線などの外部導線内に組み込まれてもよい。一実施形態では、センサ１０５は、デバイス１００のハウジングに対して内部に配置されている。
【００１８】
一実施形態では、センサ・インターフェースが、温度センサ１０５からプロセッサ１３０Ａに温度データを通信するために設けられている。センサ・インターフェースは、たとえば、サンプリング回路やアナログ・デジタル変換器を備えてもよい。図中では、ライン１１０が、温度センサ１０５の出力をプロセッサ１３０Ａへ搬送する。
【００１９】
プロセッサ１３０Ａは、治療インターフェース・バス１２０によって治療回路１１５と結合されている。治療回路１１５は、パルス発生器、徐細動回路、電気徐細動器またはその他の治療回路である。
【００２０】
プロセッサ１３０Ａは、遠隔測定データ・バス１４０によって近距離場トランシーバ１５５と遠距離場トランシーバ１６０と結合されている。一実施形態では、遠隔測定データ・バス１４０はシリアル・データ・バスである。シリアル・データ・バスは、送信モードまたはスリープ・モードまたはその他の制御信号を送信する。一実施形態では、遠隔測定データ・バス１４０は、８ビット・データ・バスであるが、それよりも多いまたは少ないビットを有するバス、またはアナログ・ラインであってもよい。遠隔測定データ・バス１４０は、プロセッサ１３０Ａとトランシーバ１５５、１６０の間でデータを通信するように構成されている。プロセッサ１３０Ａは、近距離場イネーブル１３５によって近距離場トランシーバ１５５と結合され、遠距離場イネーブル１４５によって遠距離場トランシーバ１６０と結合されている。
【００２１】
近距離場トランシーバ１５５は近距離場アンテナ１６５を使用して送受信し、遠距離場トランシーバ１６０は遠距離場アンテナ１７０を使用して送受信する。
【００２２】
一実施形態では、プロセッサ１３０Ａが、送信出力制御１５０によって遠距離場トランシーバ１６０と結合されている。送信出力制御１５０は、温度センサ１０５によって感知された温度を基にして遠距離場トランシーバ１６０に信号を供給する。たとえば、一実施形態では、温度が所定の上側レベルと所定の下側レベルの間にあることを温度センサ１０５が示すとき、送信出力制御１５０が遠距離場トランシーバ１６０に信号を通信する。送信出力制御信号は、第１の所定の出力レベルで無線信号を送信するように遠距離場トランシーバ１６０に指示する。温度が上側レベルと下側レベルの間にない間は、送信出力制御１５０は、第２の所定のレベルで無線信号を送信するように、遠距離場トランシーバ１６０に指示する。
【００２３】
一実施形態では、送信出力制御１５０は、１つまたは複数の導体を備え、アナログ信号またはデジタル信号を伝達する。一実施形態では、送信出力制御１５０はＤＡＣによって変調される。
【００２４】
図２は、埋め込み可能な医療用デバイスのシステム９０Ａを示している。プロセッサ１３０Ｂは、温度センサ１０５、メモリ１７５、送信機１８０Ａと結合されている。送信機１８０Ａは、一実施形態では、遠距離場送信機を備え、遠距離場アンテナ１７０を使用してＲＦ信号を送信する。ライン１８５を使用して、プロセッサ１３０Ｂは、送信機１８０Ａに信号を供給し、送信データ速度を選択する。送信機１８０Ａは、プロセッサ１３０Ｂによって指定されたような所定の速度で遠距離場信号を送信する。送信機１８０Ａによって送信されるデータは、プロセッサ１３０Ｂ、治療回路、温度センサ１０５、またはその他のセンサまたは埋め込み可能な医療用デバイスの構成要素から電気接続部を通って受信したデータを含む。これらの接続部のいくつかは図示されていない。一実施形態では、送信機１８０は，ＲＦ受信機と組み合わせられている。
【００２５】
一実施形態では、ライン１８５はデジタル信号を搬送する。一実施形態では、ライン１８５はアナログ信号を搬送する。ライン１８５は１つまたは複数の導体を備えている。一実施形態では、データ速度が、複数ビットのデジタル言語として、送信機１８０Ａに通知される。一実施形態では、使用可能なデータ速度は、半分のクロック速度、１クロック速度または２倍のクロック速度である。
【００２６】
一実施形態では、送信機１８０Ａは、予め決めた２つのデータ速度の一方でデータを送信するように構成されている。一実施形態では、送信機１８０Ａは、任意に変えることができるデータ速度でデータを送信するように構成されている。
【００２７】
送信機１８０Ａは、一実施形態では、シリアル・データ・バスによってプロセッサ１３０Ｂと結合されている。データは、データが送信されるべき速度でプロセッサ１３０Ｂから送信機１８０Ａへクロックされる。
【００２８】
プロセッサ１３０Ｂは、温度センサ１０５から受け取った温度信号を基にして、データ速度を選択するプログラミングを実行するように構成されている。プログラミング命令またはデータはメモリ１７５内に格納される。一実施形態では、プログラミング命令は、所定の範囲内の温度に対して、送信機１８０Ａが第１のデータ速度でデータを送信し、所定の範囲内にない温度に対して、送信機１８０Ａが第２のデータ速度でデータを送信することを指示する。たとえば、表１は、１０℃以下の温度に対して送信機１８０Ａが低いデータ速度で送信し、４５℃を超える温度に対しても送信機１８０Ａが低いデータ速度で送信し、１０℃から４５℃の間の温度に対して送信機１８０Ａが高いデータ速度で送信する例を示している。別の例として、表２は、１０℃以下の温度に対して送信機１８０Ａが低いデータ速度で送信し、１０℃から２０℃の間の温度に対して送信機１８０Ａが中間のデータ速度で送信し、２０℃から４５℃の間の温度に対して送信機１８０Ａが高いデータ速度で送信し、４５℃を超える温度に対して送信機１８０Ａが低いデータ速度で送信する、一実施形態を示している。
【００２９】
異なる実施形態では、１０℃と４５℃以外の温度が使用される。たとえば、２０℃と４３℃が一実施形態で使用される。一般に、より狭い温度範囲は、温度変化に対してより少ない周波数スペクトルが割り当てられること、すなわち、データの遠隔測定に対してより多くの周波数スペクトルを使用できることを意味している。低い温度値は、一実施形態では、埋め込み可能なデバイスが凍結した環境から室温環境の下側温度限界まで遷移するために推定された時間を基にして決定される。高いほうの温度値は、一実施形態では、埋め込み可能なデバイスの電気的動作（充電など）によって生じる予期された局所的な加熱を基にして決定される。
【００３０】
【表１】
2005535391.tif 000003
【表２】
2005535391.tif 000004
【００３１】
図３は、埋め込み可能な医療用デバイスのシステム９０Ｂを示している。プロセッサ１３０Ｃは、温度センサ１０５、メモリ１７５、送信機１８０Ｂと結合されている。送信機１８０Ｂは、一実施形態では、遠距離場送信機を備え、遠距離場アンテナ１７０を使用してＲＦ信号を送信する。ライン１９０を使用して、プロセッサ１３０Ｃが、送信機１８０Ｂに信号を供給して送信出力を選択する。送信機１８０Ｂは、プロセッサ１３０Ｃによって指定される所定の出力で、遠距離場信号を送信する。送信機１８０Ｂによって送信されるデータは、プロセッサ１３０Ｃ、治療回路、温度センサ１０５、またはその他のセンサまたは埋め込み可能な医療用デバイスの構成要素から電気接続部を通って受信したデータを含む。これらのいくつかは図示されていない。送信機１８０Ｂは、一実施形態では、ＲＦ受信機と結合されている。
【００３２】
一実施形態では、ライン１９０はデジタル信号を搬送し、たの実施形態では、アナログ信号を搬送する。ライン１９０は、１つまたは複数の導体を備えている。一実施形態では、出力が、複数ビットのデジタル言語として、送信機１８０Ｂに通知される。
【００３３】
一実施形態では、送信機１８０Ｂは、予め決められた２つの出力レベルの一方でデータを送信するように構成されている。一実施形態では、送信機１８０Ｂは、任意に変えることができる出力レベルでデータを送信するように構成されている。
【００３４】
プロセッサ１３０Ｃは、温度センサ１０５から受信された温度信号を基にして、出力を選択するプログラミングを実行するように構成されている。プログラミング命令またはデータは、メモリ１７５内に格納される。一実施形態では、プログラミング命令は、所定の範囲内の温度に対して、送信機１８０Ｂが第１の出力でデータを送信し、所定の範囲内にない温度に対して、送信機１８０Ｂが第２の出力でデータを送信する。たとえば、表３は、１０℃以下の温度に対して送信機１８０Ｂが低い出力レベルで送信し、４５℃を超える温度に対して送信機１８０Ｂが低い出力レベルで送信し、１０℃から４５℃の間の温度に対して送信機１８０Ｂが高い出力レベルで送信する一実施形態を示している。一実施形態によると、低い出力レベルは、−２０ｄＢｍの信号レベルに対応し、高い出力レベルは、０ｄＢｍ（１ミリワット）の信号レベルに対応する。別の例として、表４は、１０℃以下の温度に対して送信機１８０Ｂが低い出力レベルで送信し、１０℃から２０℃の間の温度に対して送信機１８０Ｂが中間の出力レベルで送信し、２０℃から４５℃の間の温度に対して送信機１８０Ｂが高い出力レベルで送信し、４５℃を超える温度に対して送信機１８０Ｂが低い出力レベルで送信する、一実施形態を示している。一実施形態によると、中間の出力レベルは、−１０ｄＢｍの信号レベルに対応する。
【００３５】
【表３】
2005535391.tif 000005
【表４】
2005535391.tif 000006
【００３６】
図４は、埋め込み可能な医療用デバイスのシステム９０Ｃを示している。プロセッサ１３０Ｄは、温度センサ１０５、メモリ１７５、電源２０５と結合されている。電源２０５は、ライン２１５を介して送信機１８０Ｃとさらに結合されている。送信機１８０Ｃは、一実施形態では、遠距離場送信機を備え、遠距離場アンテナ１７０を使用してＲＦ信号を送信する。ライン２００を使用して、プロセッサ１３０Ｄは電源２０５に信号を供給し、送信機１８０Ｃの電源電圧を選択する。電源２０５はバッテリ２１０に結合されている。送信機１８０Ｃは、プロセッサ１３０Ｄによって指定された供給電圧を使用して所定の出力で、遠距離場信号を送信する。送信機１８０Ｃによって送信されるデータは、プロセッサ１３０Ｄ、治療回路、温度センサ１０５、またはその他のセンサまたは埋め込み可能な医療用デバイスの構成要素から電気接続部を通って受信したデータを含む。これらのいくつかは図示されていない。送信機１８０Ｃは、一実施形態では、ＲＦ受信機と組み合わせられている。
【００３７】
一実施形態では、ライン２００はデジタル信号を搬送し、他の実施形態では、アナログ信号を搬送する。ライン２００は、１つまたは複数の導体を備えている。一実施形態では、送信機１８０Ｃに供給される電圧が、複数ビットのデジタル言語として、電源２０５に通知される。一実施形態では、電源２０５は、プロセッサ１３０Ｄによって制御された、ライン２１５で送信機１８０Ｃにバッテリ２１０の出力を供給するスイッチを備える。スイッチは、一実施形態では、トランジスタまたはその他の半導体スイッチである。
【００３８】
送信機１８０Ｃは、予め定められた２つのレベルの間の供給電圧を使用してデータを送信するように構成されている。一実施形態では、温度が所定の範囲外にあるとき、供給電圧は高く、温度が所定の範囲内にあるとき、供給電圧は低い。一実施形態では、送信機１８０Ｃは、所定の範囲外の温度に対して無効化される。たとえば、一実施形態では、送信機１８０Ｃに供給される電力は、１０℃から４５℃の間の範囲外の温度に対しては、わずかに増加される、または除去される。
【００３９】
プロセッサ１３０Ｄは、温度センサ１０５から受信された温度信号を基にして、送信機１８０Ｃを動作させるプログラムを実行するように構成されている。プログラミング命令またはデータは、メモリ１７５内に格納される。一実施形態では、プログラミング命令は、所定の範囲内の温度に対して、送信機１８０Ｃが第１の供給電圧を使用してデータを送信し、所定の範囲内にない温度に対して、送信機１８０Ｃは無効にされる。たとえば、表５は、１０℃以下の温度に対して送信機１８０Ｃが電力供給されず、４５℃を超える温度に対して送信機１８０Ｃが電力供給されず、１０℃から４５℃の間の温度に対して送信機１８０Ｃが、調整供給電力を使用して送信する一実施形態を示している。別の例として、表６は、１０℃以下の温度に対して送信機１８０Ｃが電力供給されず、１０℃から２０℃の間の温度に対して送信機１８０Ｃがわずかに上昇された調整供給電力を使用して送信し、２０℃から４５℃の間の温度に対して送信機１８０Ｃが低下された調整供給電力を使用し送信し、４５℃を超える温度に対して送信機１８０Ｃが電力供給されない、一実施形態を示している。一実施形態では、増加された供給電力は、公称で２．４ボルトであり、低下された供給電力は２．２ボルトである。バッテリ寿命は、送信機の供給電圧を調節することによって改善される。
【００４０】
一実施形態では、送信機１８０Ｃへの供給電圧は、比較的一定のままであり、所定の温度に対して、送信機１８０Ｃが無効化される。送信機１８０Ｃを無効化することは、一実施形態では、供給される電圧を除去することを含む。一実施形態では、送信機１８０Ｃを無効化することは、制御信号を基にしてスイッチを駆動することを含む。
【００４１】
【表５】
2005535391.tif 000007
【表６】
2005535391.tif 000008
【００４２】
図５は、温度を基にした埋め込み可能なデバイスの遠隔測定機能を示すグラフ３００である。一実施形態では、埋め込み可能なデバイスは、近距離場トランシーバと遠距離場トランシーバを備える。
【００４３】
カラム３１０Ｘで示すような近距離場送信機、カラム３１０Ｒで示すような近距離場受信機、カラム３２０Ｒで示すような遠距離受信機は、温度補正なしで動作する。近距離場送信機、近距離場受信機、遠距離場受信機の作用は、感知された温度を基にしてプロセッサで制御されない。他方、遠距離場送信機の作用は、感知された温度を基にしてプロセッサで制御される。図中では、１０℃以下の温度に対して、または４５℃を超える温度に対して、遠距離場送信機の帯域幅は減衰されるが、１０℃から４５℃の間の温度に対して、遠距離場送信機は、帯域幅減衰なしで動作させられる。
【００４４】
図６Ａは、本主題の一実施形態によって実施される方法４００のフロー・チャートを示している。図中では、近距離場遠隔測定システムが、４０５で付勢される。近距離場遠隔測定システムは、一実施形態では、連続的に使用可能である。４１０Ａで、周囲温度が感知される。デバイスが健康な人間の体内に埋め込まれている場合、感知される周囲温度は、ほぼ体温であることになる。デバイスがまだ埋め込まれていない場合、感知される周囲温度は、体温よりも高いまたは低いであろう。
【００４５】
４１５で、本主題は、遠距離場送信機のための動作モードを選択する。動作モードは、たとえば、データ速度を制限し、送信機出力を制限することによって、または送信機への供給電圧を低下させるまたは除去することによって、低減された帯域幅を提供してもよいが、それに限定されない。プロセッサ、またはその他の埋め込み可能な装置の回路が、動作モードを選択し、４２０で、それに応じて遠距離場送信機に信号を送信する。
【００４６】
一実施形態では、温度は、１０秒毎に１回の周波数で周期的にチェックされるが、それよりも高いまたは低いサンプリング周波数が使用されてもよい。
【００４７】
一実施形態では、回路が、導線が埋め込み可能なデバイスと接続されているかどうかを判定する。一実施形態では、回路またはプログラミングが、インピーダンスを決定する、または導線の存在を特徴付ける別のパラメータを測定する。図７は、治療回路１１５Ａと結合され、遠距離場送信機１８０Ｄと結合された導線検知回路２２０を示している。導線検知回路２２０は、治療回路１１５Ａと結合された導線の存在、または欠如を表示する信号を遠距離場送信機１８０Ｄに供給する。一実施形態では、導線が埋め込み可能なデバイスと結合されている場合、デバイスがすでに埋め込まれており、送信されるデータ速度を公称速度まで上昇させることができる、または送信機出力を公称値まで上昇させれることができると仮定される。導線が接続されていない場合には、データが、低減されたデータ速度で送信される、または送信機の出力が低下させられる。一実施形態では、低いデータ速度から高いデータ速度への、または低い出力レベルから高い出力レベルへの遷移は、導線の検知の後、所定の時間だけ遅延される。たとえば、一実施形態では、送信されるデータ速度は、導線が埋め込み可能なデバイスに取り付けられていることを検知した後、３０分で増加する。一実施形態では、このデータ速度または出力の選択は、導線検知を基にして決定され、温度とは無関係である。
【００４８】
図６Ｂでは、周囲温度が、４１０Ｂで感知される。４３０で、感知された温度が埋め込み可能なデバイスが体内に埋め込まれていることを示しているかどうかを決定するために問合せが行われる。一実施形態では、４３０の問合せは、感知された温度と格納されているデータとの比較を含む。たとえば、感知された温度が１０℃から４５℃の間である場合、一実施形態はデバイスが埋め込まれていると規定する。
【００４９】
感知された温度が、埋め込み可能なデバイスが所定の温度範囲内にあることを示した場合、４３５で、遠距離場送信機は、増加したデータ速度で送信するように構成される。他方、温度が、デバイスが埋め込まれていないことを示した場合、４４０で、遠距離場送信機は、低下したデータ速度で送信するように構成される。一実施形態では、送信機出力が、感知された温度を基にして調節される。データ速度の調節は、帯域幅を低減させるための１つの方法であり、本明細書で説明するように、たとえば出力レベルを調節することを含む、他の方法も企図されている。
【００５０】
４４５で、４３５または４４０に従って構成された遠距離場送信機を使用してデータが送信される。方法は、周囲温度をさらにチェックするために４１０Ｂに戻る。このようにして、感知された温度を基にして、遠距離場送信機の構成が連続的に更新される。
【００５１】
一実施形態では、通信される信号のスペクトル成分を圧縮するために波形整形を使用する。それによってデータ送信速度を増加させることができる。波形整形は、周波数領域で見たときの帯域幅を減少させるために、時間領域での急な送信を滑らかなすることを含む。図８Ａは、波形整形の一実施形態を示している。図中では、治療回路１１５Ｂが、プロセッサ１３０Ｅを介して遠距離場送信機１８０Ｅと結合されている。一実施形態では、プロセッサ１３０Ｅは、送信されるデータに対応して遠距離場送信機１８０Ｅに信号を供給する。一実施形態では、プロセッサ１３０Ｅは、データが送信される出力レベルに対応して遠距離場送信機１８０Ｅに信号を供給する。一実施形態では、プロセッサ１３０Ｅは、遠距離場送信機１８０Ｅに供給される信号を、帯域幅の利用可能性にしたがって適するように処理する。波形整形は、振幅変調、周波数変調または位相変調を基にして行われる。一実施形態では、送信されるデジタル・データの振幅が包絡線によって変調される。包絡線は、様々な実施形態では、サイン波、ヘイバーサイン波またはその他の滑らかな移行信号を含む。一実施形態では、医療用デバイスは、すべての温度に対して送信されるデータに波形整形を適用する。
【００５２】
一実施形態では、本主題は、８６９．７から８７０．０ＭＨｚの間の周波数を有するＳＲＤ（短距離通信）ｋ−サブ帯域を使用して通信するように構成されている。ある基準によると、この帯域での遠距離場送信に対して、放射される出力は、３００ｋＨｚ帯域の外側で−３６ｄＢｍとされている。表７は、ある例示的な実施形態による３００ｋＨｚ帯域の割り当てを示している。
【００５３】
【表７】
2005535391.tif 000009
【００５４】
波形整形は、一実施形態では、−３６ｄＢｍを超える変調積(modulation product)のための１２２ｋＨｚの帯域幅割り当てを満たすために使用される。一実施形態では、波形整形は、図８Ｂに概略的に示すように遠距離場送信機デジタル変調入力をフィルタの出力に結合することによって達成される。一実施形態では、フィルタ２３０は、ロー・パス・フィルタを備えるが、他のフィルタが使用されてもよい。一実施形態では、フィルタは、デジタル信号を受信し、送信機を変調させるために使用されるアナログ出力信号を発生させるＤＡＣを備える。一実施形態では、プログラマブルＤＡＣの出力が、変調入力と結合される。プログラマブルＤＡＣは、設計目的に適合するように再構成ができる。図８Ｃは、プロセッサ１３０Ｇが、ＤＡＣ２３５とフィルタ２４０の直列結合を介して遠距離場送信機１８０Ｇに結合される一実施形態を示している。プログラマブルＤＡＣは、プログラマブル電流ＤＡＣまたはプログラマブル電圧ＤＡＣを備えてもよい。
【００５５】
振幅シフトキーイング（ＡＳＫ）送信では、２つの送信出力レベルが、ロジック０とロジック１を表すために使用される。一実施形態では、トランシーバの変調入力ピンへ入る電流が送信出力を制御する。たとえば、１０μＡドライブの電流がロジック０を表し、４５０μＡドライブの電流がロジック１を表す。送信のスペクトル成分を、２つのロジック・レベルの間での滑らかな移行によって減少できる。
【００５６】
図９Ａは、変調入力の波形整形による、−３６ｄＢｍを超える変調積の減少の一実施形態をグラフで示している。図示した例では、データ速度は８３．３３３ｋｂｐｓであり、８ビットＤＡＣが波形整形のために使用され、変調深さはフルである。図示のように、−３６ｄＢｍの限界で、波形整形されていない信号に対する変調積の帯域幅は、７６０ｋＨｚであり、波形整形されている信号に対しては３３７．５ｋＨｚである。この例では、波形整形は、スペクトル帯域幅を５０％以上減少させている。
【００５７】
一実施形態では、波形整形パラメータが、所望の帯域幅の減少をもたらすように選択される。たとえば、波形の形状は、スペクトル分布を減少させるように選択される。一実施形態では、ヘイバーサイン波形形状が選択される。一実施形態では、ヘイバーサイン波を近似する波形が選択される。一実施形態では、対称的な立上りと立下りエッジを有する波形が、ビット・タイミングを維持し、エッジ・ジッタの導入を回避するために使用される。
【００５８】
別の例では、一実施形態では、ヘイバーサイン形状の波が、ＤＡＣの離散したステップによって近似され、ビット間隔の数が、所望の帯域幅を達成するように選択される。波形が分割されるビット間隔の数は、ヘイバーサイン波がいかによく複製されるかに影響を与える。一実施形態では、１２の間隔が、所望のデータ速度を生み出し、一様な間隔を維持する。ビット間隔の数は１２よりも多くても少なくてもよい。
【００５９】
別の例として、一実施形態では、変調深さが、所望の帯域幅を達成するように選択される。変調深さを減少させることは、送信される信号のメイン・ローブを狭め、側波帯を抑圧することによって、−３６ｄＢｍを超える変調積を減少させる。ロジック０に対する出力レベルを増加させることか、ロジック１に対する出力レベルを減少させることのいずれか、または両方の組合せによって、変調深さをさらに減少させると、受信される信号のノイズ・マージンが減少する。ノイズ・マージンが減少すると、受信機の信号対ノイズ比が減少し、したがって、システムの最大レンジが減少する。図９Ｂは、変調深さを変更することに伴う変調積を示している。表８に示したデータは、フル・レンジからフル・レンジよりも小さいものへ変調深さを減少させることが、−３６ｄＢｍを超える変調積の帯域幅を減少させることを示している。表はまた、帯域幅の連続的な減少による、ロジック０とロジック１に対して送信される出力の間の差の減少を示している。
【００６０】
【表８】
2005535391.tif 000010
【００６１】
別の例として、一実施形態では、送信出力を変調させるためのビットの数が、所望の帯域幅を達成するように選択される。波形ステップの解像度が、ＤＡＣビットの数によって制御される。図９Ｃは、ＤＡＣビットの数の変化の影響をグラフで示している。図中に示すように、ＤＡＣビットの数を４ビットに減少させることは、−３６ｄＢｍを超える変調積の帯域幅に対してほとんど影響を有さない。サイド・ローブ内の出力は、ＤＡＣビットの数が減少する際に増加するが、−３６ｄＢｍの限界を超えない。
【００６２】
別の例として、一実施形態では、データ速度が、所望の帯域幅を達成するように選択される。ＡＳＫ送信については、データ速度は、送信スペクトルの広がりに影響を与える。一般に、データ速度がより高いと、スペクトルの広がりがより大きい。図９Ｄは、データ速度の関数としての変調積をグラフで示している。
【００６３】
別の例として、一実施形態では、ピーク送信出力が、所望の帯域幅を達成するために選択される。ロジック１送信出力を低下させることによって、変調波形を低下させることができる。ロジック０電流レベルが維持される場合、ロジック１送信出力を低下させることはまた、変調深さも減少させることである。ロジック１とロジック０送信出力の両方が低下した場合、変調深さを維持することができる。いずれの場合も、ピーク送信出力を低下させることは、最大レンジを減少させる結果となる。図９Ｅは、ピーク送信出力の関数としての変調積を示している。図中に示すように、ピーク送信出力を低下させることは、−３６ｄＢｍを超える変調積の帯域幅を減少させることである。
【００６４】
別の例として、一実施形態では、ＤＡＣの出力が、所望の帯域幅を達成するためにフィルタリングされる。電流ＤＡＣの出力上の単極ＲＣロー・パス・フィルタが、間隔の間の移行を滑らかにすることができる。図９Ｆは、ＤＡＣ出力のフィルタリング後の帯域幅の変化をグラフで示している。図中に示すように、フィルタリングされた波形は、主にサイド・ローブ出力の抑圧による、−３６ｄＢｍを超える変調積の帯域幅の減少を呈する。
【００６５】
代替実施形態
上記の実施形態の変形形態も企図されている。たとえば、一実施形態では、本主題は、温度変動に割り当てられる周波数スペクトルの量を減少させ、それによってデータ送信のために使用可能な帯域幅を増加させる。たとえば、温度補正は、遠距離場データ送信速度を５０キロバイト毎秒（ｋＢＰＳ）から６９ｋＢＰＳに増加させることを可能にする。
【００６６】
体温の狭い範囲のまたはその他の所定の範囲の外側の温度での遠隔測定のためには、送信機の帯域幅を減少させる。一実施形態では、たとえば２０ｄＢだけ送信機の出力を低下させることによって、帯域幅が減少する。出力での２０ｄＢの低下は、デバイスが体内に埋め込まれているときの組織損失によって起るものを近似したものである。一実施形態では、送信機は、特定の温度範囲の外側の温度に対して、低いデータ速度で動作する。一実施形態では、遠距離場送信機は、特定の温度範囲の外側の温度に対して、パワー・オフにされる、または低い給電圧で動作する。一実施形態では、近距離場遠隔測定が、すべての温度で使用可能である。
【００６７】
一実施形態では、遠距離場送信機は、表面音波（ＳＡＷ）振動子（または共振器）ベースの送信機を備える。ＳＡＷ送信機は、たとえば１００ＭＨｚ台の範囲で動作する。ある政府基準の仕様によると、短距離デバイス（ＳＲＤ）送信機が、０℃から５５℃の温度範囲にわたって試験される。この範囲では、ＳＡＷ送信機は、６０ｋＨｚだけ変化する。２０℃から４５℃の温度範囲にわたって、ＳＡＷ送信機は２５ｋＨｚだけ変化する。埋め込まれたときなど、温度制御された環境で使用されるとき、３５ｋＨｚの帯域幅の差を、データ送信速度を増加させるために使用することができる。
【００６８】
一実施形態では、遠距離場送信機は、フェイズ・ロックド・ループ（ＰＬＬ）アップ・コンバーティド水晶制御送信機などの水晶ベースの回路を備える。
【００６９】
一実施形態では、遠距離場送信機は、バイポーラ・デバイス技術を使用して製造されている。たとえば、バイポーラ・トランジスタでは、ベースからエミッタの閾値電圧（ＶBE）は、通常、温度によって線形に変化する。０℃から５５℃の温度範囲にわたって、各トランジスタに対するＶBEは、約１００ミリボルト（ｍＶ）変化し、ある例示的な複数のトランジスタ送信機回路に対しては、変化は約２００ｍＶである。温度の関数としてのトランジスタ性能の変化は、温度係数として表される。同じ送信機回路が、２０℃から４５℃のより狭い温度範囲にわたって、５３ｍＶのＶBEの変化を呈する。したがって、より狭い温度範囲にわたる少ないＶBEの変化は、約１４０ｍＶだけ低下した供給電圧で送信機を動作させることを可能にする。
【００７０】
一実施形態では、本主題は、遠距離場トランシーバに供給される供給電圧の低下を可能にする。たとえば、一実施形態は、２．４ボルトから２．２ボルトへの供給電圧の低下を可能にする。
【００７１】
一実施形態では、送信機の出力レベルが電流源によって制御される。バイアス電流がトリマを使用して調節される。一実施形態では、出力レベルはプログラム可能である。ある例では、レジスタが、出力レベルを複数ビットの言語として記憶する。
【００７２】
一実施形態では、データ速度、出力レベル、供給電圧の組合せが、送信帯域幅を決定するために使用される。
【００７３】
一実施形態では、温度を決定した後、本主題が、所定の時間窓範囲に対して特定の送信帯域幅を調節し、維持する。
【００７４】
一実施形態では、温度をサンプリングする周波数が、温度の関数として変化する。たとえば、極端な温度では、第１のサンプリング周波数が使用され、所定の範囲内の温度では、第２のサンプリング周波数が使用される。第２のサンプリング速度は、第１のサンプリング速度よりも遅い。
【００７５】
一実施形態では、出力の送信出力レベルが連続的に可変である。一実施形態では、出力の送信出力レベルが、２つ以上の使用可能な離散した出力レベルから選択される。
【００７６】
一実施形態では、可変なデータ速度が離散した温度帯域に対して調節される。
【００７７】
一実施形態では、プロセッサが感知された温度での誤差修正を提供する。プロセッサのためのプログラミングとデータが、プロセッサにアクセス可能なメモリ内に記憶される。
【００７８】
一実施形態では、比較器が、温度を基にした、または導線の存在または欠如を基にした出力信号を提供する。比較器からの出力信号が、送信機と結合される。比較器は、一実施形態では、アナログ比較器を備える。比較器に供給される基準電圧が比較のために使用される。比較器は、一実施形態では、プロセッサを備え、感知された温度とメモリ内に記憶されているデータの間で比較が行われる。
【００７９】
結論
上記の説明は、例示的なものであり、限定的なものではない。他の多くの実施形態が、上記の説明を再読すれば当業者なら明らかであろう。
【図面の簡単な説明】
【００８０】
【図１】近距離場および遠距離場遠隔測定回路を有する埋め込み可能な医療用デバイスのブロック線図である。
【図２】選択可能な送信データ速度を有する埋め込み可能な医療用デバイスの一部を示す図である。
【図３】選択可能な送信出力を有する埋め込み可能な医療用デバイスの一部を示す図である。
【図４】選択可能な出力を有する電源を有する埋め込み可能な医療用デバイスの一部を示す図である。
【図５】温度の関数としての動作モードを示すグラフである。
【図６】本主題の実施形態によるフロー・チャートの一部を示す図である。
【図７】導線検知回路を有する実施形態のブロック線図である。
【図８】波形整形するように構成された埋め込み可能なデバイスのブロック線図である。
【図９Ａ−Ｆ】様々な実施形態に対する周波数応答図である。
【図１】
2005535391.tif 000011
【図２】
2005535391.tif 000012
【図３】
2005535391.tif 000013
【図４】
2005535391.tif 000014
【図５】
2005535391.tif 000015
【図６】
2005535391.tif 000016
【図７】
2005535391.tif 000017
【図８】
2005535391.tif 000018
【図９Ａ】
2005535391.tif 000019
【図９Ｂ】
2005535391.tif 000020
【図９Ｃ】
2005535391.tif 000021
【図９Ｄ】
2005535391.tif 000022
【図９Ｅ】
2005535391.tif 000023
【図９Ｆ】
2005535391.tif 000024
【国際調査報告】
2005535391.tif 000025
2005535391.tif 000026
2005535391.tif 000027
2005535391.tif 000028